(57)【要約】【課題】  本発明は釣り用水汲みバケツに関し、汲み上げた水を運ぶ際にハンドルが持ち易く、また、水中からバケツ本体を何ら支障なくバランス良く引き上げることが可能な釣り用水汲みバケツを提供することを目的とする。【解決手段】  請求項１に係る発明は、バケツ本体に、吊下げ紐が連結されたハンドルが取り付く釣り用水汲みバケツに於て、上記ハンドルの握持部に、当該ハンドルを上方に起立させた際に上下方向に開口する貫通孔を設け、当該貫通孔の上方から吊下げ紐を挿通して、当該吊下げ紐の端部に上記貫通孔の内周に当接する抜止めを設けたことを特徴とする。  そして、請求項２に係る発明は、請求項１に記載の釣り用水汲みバケツに於て、抜止めは、貫通孔の内側に収容されていることを特徴とする。【選択図】    図１
2006025713.tif 000002
【特許請求の範囲】
【請求項１】
バケツ本体に、吊下げ紐が連結されたハンドルが取り付く釣り用水汲みバケツに於て、
上記ハンドルの握持部に、当該ハンドルを上方に起立させた際に上下方向に開口する貫通孔を設け、当該貫通孔の上方から吊下げ紐を挿通して、当該吊下げ紐の端部に上記貫通孔の内周に当接する抜止めを設けたことを特徴とする釣り用水汲みバケツ。
【請求項２】
抜止めは、貫通孔の内側に収容されていることを特徴とする請求項１に記載の釣り用水汲みバケツ。
【発明の詳細な説明】
【技術分野】
【０００１】
本発明は、魚釣りに際して、水を汲み上げるために用いる釣り用水汲みバケツに関する。
【背景技術】
【０００２】
従来から釣り用水汲みバケツは、釣りを行う際に、主に足場の高い処で水を汲んで魚の生け簀に水を入れたり練り餌に加えたり、また、釣場を洗い流したりするために使用されている。
そして、この種の釣り用水汲みバケツは、水を汲むためのバケツ本体に吊下げ紐を連結した紐状の把手が取り付いて形成されており、吊下げ紐の一端を保持したまま、水面にバケツ本体を投げ入れてバケツ本体内に水を入れた後、吊下げ紐を手繰ってバケツ本体を引き上げて水を汲むことができるようになっている。
【０００３】
ところで、従来、釣り用水汲みバケツを使用する際には、紐状の把手に吊下げ紐をその都度結び付けて使用していたが、斯様に吊下げ紐をその都度把手に結び付けていた従来構造は、吊下げ紐を把手に結び付けたり把手から離脱させる作業が煩雑であると共に、把手に吊下げ紐が絡まった場合に絡みを除く作業が煩わしく、また、斯かる状態で使用すると、バケツ本体を引き上げる際にバケツ本体のバランスが悪くなって十分に水を汲み上げることができない不具合があった。
【０００４】
そこで、斯かる実情に鑑み、吊下げ紐の絡みを解消し易くして、投入したバケツ本体をバランス良く引き上げることができるように、紐状の把手に取付部材を止着すると共に、吊下げ紐の一端に連結具を止着して、上記取付部材に当該連結具を回転可能に連結した釣り用水汲みバケツが特許文献１で知られている。
また、特許文献２には、上述の如き紐状の把手に代え、上方に起立させた際に形状を維持する硬さを持ったＵ字状のハンドルを合成樹脂で形成して、当該ハンドルの握持部に重りと孔を設けて、当該孔に吊下げ紐に取り付けたナス環（取付部材）を係止させた釣り用水汲みバケツが開示されている。
【０００５】
而して、この釣り用水汲みバケツによれば、着水時にハンドルの倒れる反動でバケツ本体が容易に倒れるため、バケツ本体によって確実に水を汲み上げることが可能となる。
【特許文献１】特開平１１−５６１９１号公報
【特許文献２】特開２００３−７９２９８号公報
【発明の開示】
【発明が解決しようとする課題】
【０００６】
しかし乍ら、特許文献１に開示された釣り用水汲みバケツは、紐状の把手に取付部材が止着した構造上、水を入れた水汲みバケツを運んで行く際に、把手を取付部材ごと握ることとなって握り難く、水を入れたバケツ本体を持って移動するには適さなかった。
同様に特許文献２の釣り用水汲みバケツにあっても、ハンドルの握持部の孔に係止したナス環が邪魔になるし、水汲みや運搬に際し、ナス環を逐一孔に装着したり取り外したりする作業は煩雑であった。
【０００７】
また、特許文献１，２の釣り用水汲みバケツは、何れも把手やハンドルから上方に取付部材や連結具，ナス環等が突出しているため、水中からバケツ本体を引き上げる際に、これらが岩に引っ掛かったり岩と岩の隙間に挟まってバケツ本体の引き上げに支障を来してしまう虞も指摘されていた。
本発明は斯かる実情に鑑み案出されたもので、汲み上げた水を運ぶ際にハンドルが持ち易く、また、水中からバケツ本体を何ら支障なくバランス良く引き上げることが可能な釣り用水汲みバケツを提供することを目的とする。
【課題を解決するための手段】
【０００８】
斯かる目的を達成するため、請求項１に係る発明は、バケツ本体に、吊下げ紐が連結されたハンドルが取り付く釣り用水汲みバケツに於て、上記ハンドルの握持部に、当該ハンドルを上方に起立させた際に上下方向に開口する貫通孔を設け、当該貫通孔の上方から吊下げ紐を挿通して、当該吊下げ紐の端部に上記貫通孔の内周に当接する抜止めを設けたことを特徴とする。
【０００９】
そして、請求項２に係る発明は、請求項１に記載の釣り用水汲みバケツに於て、抜止めは、貫通孔の内側に収容されていることを特徴とする。
【発明の効果】
【００１０】
請求項１に係る発明によれば、水中からバケツ本体を引き上げる際に、何ら支障を来すことなくバケツ本体をバランス良く引き上げることができ、請求項２に係る発明によれば、汲み上げた水を運ぶ際に、吊下げ紐の抜止めが貫通孔の内側に収容されているため、ハンドルの握持部を握持し易い利点を有する。
【発明を実施するための最良の形態】
【００１１】
以下、本発明の実施形態を図面に基づいて詳細に説明する。
図１は請求項１及び請求項２に係る釣り用水汲みバケツの第一実施形態を示し、図に於て、１は側部３と底部５とで形成された防水性を有するボックス状のバケツ本体で、当該バケツ本体１は上部に開口部７が開口して、内部を汲んだ水の収納部としている。
而して、側部３は、例えばエチレン酢酸ビニルや塩化ビニル等の防水性を有する平面視矩形状の合成樹脂シートの一側と他側を重ねて高周波溶着等で溶着固定して形成されている。
【００１２】
また、合成樹脂シートの上部は外側に折り返されて開口部７の周縁部９を形成しており、夫々の折返し片１１は、金属や合成樹脂で形成された平面視正方形状のフレーム１３を挟んで側部３の外側に高周波溶着等で接合されている。
そして、側部３の下端に底部５の周囲が同じく高周波溶着等で溶着されており、底部５は、側部３に比し厚肉な同一材料からなる合成樹脂シートを用いて側部３より剛性が大きく形成されている。
【００１３】
従って、バケツ本体１は、釣場への携帯時等に合成樹脂シートで形成された柔軟な側部３を折り曲げて上下方向から潰すようにコンパクトに折り畳むことが可能で、開口部７はフレーム１３によってその形状保持が図られる。
そして、前記開口部７近傍の側部３の上部外周に、エチレン酢酸ビニルや塩化ビニル等のやや厚肉な合成樹脂板で形成された一対のハンドル取付部１５が開口部７を挟んだ対向位置に固着されており、図示するように両ハンドル取付部１５は、周縁部９の外形形状に沿って外方へ屈曲形成されている。そして、開口部７より上方に突出するハンドル取付部１５の上端側に、ハンドル１７が取り付く透孔１９が設けられている。
【００１４】
ハンドル１７は、例えばエチレン酢酸ビニルからなる合成樹脂製で、当該ハンドル１７を上方に起立させた時にバケツ本体１の横方向に向かう握持部２１と、その両端から下方に向かう一対の杆部２３とで開口部７の上方をアーチ状に跨ぐように金型を用いて側面視略コ字状に形成されており、ハンドル１７は合成樹脂を金型で形成して、上方に起立させた際に形状を維持する硬さを持って形成されている。そして、握持部２１は杆部２３に比し厚肉で上下方向に長い断面矩形状とされており、その底部は握持した際に掌に沿うようにアール状に形成されている。
【００１５】
そして、杆部２３の両下端に軸状の回動部２５と球状の抜止部２７が内方へ突設されており、当該回動部２５を前記透孔１９に挿通させることで、バケツ本体１にハンドル１７が起立した状態と倒した状態になるように回動可能に取り付き、着水時にバケツ本体１の外側にハンドル１７が簡単に倒れ、また、吊下げ紐３１を引き上げることで、図示するようにバケツ本体１の上方にハンドル１７を容易に起立させることができるようになっている。
そして、抜止部２７によって透孔１９からのハンドル１７の抜止めが図られている。
【００１６】
更に、図示するようにハンドル１７の握持部２１には、ハンドル１７を上方に起立させた際に上下方向に開口する貫通孔２９が握持部２１の長さ方向の中央に設けられている。そして、当該貫通孔２９に合成樹脂製の吊下げ紐３１の一端３１ａが挿通し、この吊下げ紐３１の端部に抜止めが設けられている。
抜止めは、金属または合成樹脂で形成したリング部材３３で、吊下げ紐３１の一端３１ａを当該リング部材３３内に挿通させた後、再び一端３１ａを吊下げ紐３１にリベット３５で止着して輪を作ることでリング部材３３を保持している。
【００１７】
尚、抜止めはリング部材３３に限らず、吊下げ紐３１でこぶを作って設けたり、吊下げ紐３１を溶融，硬化させてこぶを作って抜止めをしてもよい。
そして、図示するように貫通孔２９は、握持部２１の上部に開口する挿通部３７と、当該挿通部３７と連通して握持部２１の底部に開口する収容部３９とからなり、挿通部３７は収容部３９に向かって順次縮径するテーパ形状をなし、また、収容部３９は挿通部３７より大きく形成されて握持部２１の底部に開口する凹部からなる。そして、既述したリング部材３３を図中、矢印Ａ方向に引っ張ることで吊下げ紐３１を同方向へ手繰ることが可能であるが、吊下げ紐３１を矢印Ｂ方向に引っ張ると、図示するようにリング部材３３が収容部３９内に収容されてその内周４１に当接し乍ら、収容部３９の内側で挟持されて当該収容部３９に着脱自在に係合し、これにより吊下げ紐３１がハンドル１７から離脱しないように保持されて、バケツ本体１が吊下げ紐３１によって引き上げ可能となる。
【００１８】
尚、図示しないが吊下げ紐３１の他端側には糸巻きが装着されており、吊下げ紐３１は当該糸巻きに巻回されている。
本実施形態に係る釣り用水汲みバケツ４３はこのように構成されているから、釣場への携帯時には、柔軟な側部３を折り曲げて上下方向から潰すようにコンパクトに折り畳んでおけばよく、ハンドル１７に取り付く吊下げ紐３１は邪魔にならないように糸巻きに巻回しておけばよい。
【００１９】
そして、釣場で釣り用水汲みバケツ４３を用いて水を汲む際には、糸巻きに巻回した吊下げ紐３１を所定量繰り出した後、吊下げ紐３１の糸巻き側を保持した状態で水面にバケツ本体１を投げ入れればよく、着水に伴いハンドル１７がバケツ本体１の外側に倒れ、この反動でバケツ本体１が倒れてバケツ本体１内に水が汲まれる。
この後、吊下げ紐３１を手繰れば図１の如くハンドル１７が起き上がり、このまま吊下げ紐３１を手繰ってバケツ本体１を引き上げることで水を汲むことができる。そして、吊下げ紐３１が握持部２１の長さ方向の中央に設けた貫通孔２９を挿通しているため、バケツ本体１がバランス良く引き上げられることとなる。
【００２０】
而も、ハンドル１７は合成樹脂を金型で形成して上方に起立させた際に形状を維持する硬さを持って形成されているため、バケツ本体１に水を汲んで引き上げるときに足場の岩への引っ掛かりが防止され、また、ハンドル１７の吊下げ紐３１の絡みが防止される。
また、既述したように吊下げ紐３１の一端３１ａをリング部材３３内に挿通させた後、再び一端３１ａを吊下げ紐３１にリベット３５で止着して輪を作ることでリング部材３３を保持しているため、ハンドル１７に吊下げ紐３１が絡まった場合でも、吊下げ紐３１を収容部３９内に案内した後、これを強く引っ張ることで絡みを除くことができるし、握持部２１を握って水を入れたバケツ本体１を運んで行く際に、リング部材３３が収容部３９内に収まっているので握持し易い。
【００２１】
更にまた、特許文献１，２と異なり、ハンドル１７の貫通孔２９から上方にリング部材３３が突出していないため、水中からバケツ本体１を引き上げる際に、リング部材３３が岩に引っ掛かったり岩と岩の隙間に挟まって引き上げに支障を来すこともないし、リング部材３３が収容部３９内に収容されてハンドル１７の側方へも突出することがないため、リング部材３３が岩に引っ掛かってしまうことがない。
【００２２】
従って、本実施形態によれば、水中からバケツ本体１を引き上げる際に、何ら支障を来すことなくバケツ本体１をバランス良く引き上げることができると共に、汲み上げた水を運ぶ際にリング部材３３が邪魔にならず、ハンドル１７を握持し易い利点を有する。
尚、貫通孔２９の握持部２１の底部の開口は蓋や詰め物等で閉塞してもよい。
図２は請求項１及び請求項２の第二実施形態に係る釣り用水汲みバケツを示し、本実施形態は、既述したリング部材３３に代えて吊下げ紐３１の抜止めに円筒状の棒状部材を用いたもので、以下、本実施形態を図面に基づいて説明するが、既述した第一実施形態と同一のものは同一符号を付してそれらの構造説明は省略する。
【００２３】
図中、１７-1は前記ハンドル１７と同一材料を用いて形成されたハンドルで、本実施形態のハンドル１７-1も、バケツ本体１の横方向に向かう握持部２１-1とその両端から下方に向かう一対の杆部２３とでバケツ本体１の開口部７の上方をアーチ状に跨ぐように側面視略コ字状に形成されており、握持部２１-1は杆部２３に比し厚肉で上下方向に長い断面矩形状とされ、その底部は握持した際に掌に沿うようにアール状に形成されている。
【００２４】
そして、杆部２３の両下端に設けた回動部２５をバケツ本体１に取り付くハンドル取付部１５の透孔１９に挿通させて、ハンドル１７-1がバケツ本体１に装着されており、抜止部２７によって透孔１９からのハンドル１７-1の抜止め保持が図られている。
また、ハンドル１７-1の握持部２１-1には、ハンドル１７-1を上方に起立させた際に上下方向に開口する貫通孔４５が握持部２１-1の長さ方向の中央に設けられており、当該貫通孔４５に吊下げ紐３１が挿通し、吊下げ紐３１の端部にその抜止めが設けられている。
【００２５】
抜止めは、金属または合成樹脂で形成した棒状部材４７で、図示するように当該棒状部材４７は円筒状の棒体４９からなり、その外周に、長手方向の中心を挟んで２つの環状凸部５１が間隔を置いて左右に形成されている。そして、両環状凸部５１間で吊下げ紐３１の一端３１ａを折り返し、再びこの一端３１ａを吊下げ紐３１にリベット３５で止着して輪を作ることで棒状部材４７を保持している。
【００２６】
尚、本実施形態ではリベット３５を挿通部３７内に収容して、バケツ本体１の引上げ時にこの部分の岩への引っ掛かりを防止している。
一方、貫通孔４５は、握持部２１-1の上部に開口する挿通部３７と、当該挿通部３７と連通して握持部２１-1の底部に開口する収容部５３とからなる。そして、収容部５３は前記棒状部材４７が内側に完全に着脱自在に係合，収容される底面視矩形状の凹部からなり、その内側上面５５は棒状部材４７の外形形状に沿って形成され、前記環状凸部５１が係合する凹部５７が挿通部３７を挟んで設けられている。
【００２７】
そして、図示するように棒状部材４７が内側上面５５に当接して環状凸部５１が凹部５７に係合することで、吊下げ紐３１を引っ張ってバケツ本体１を引き上げる際に吊下げ紐３１がハンドル１７-1から離脱しないように保持され、これによりバケツ本体１が吊下げ紐３１によって引き上げられるようになっている。
本実施形態に係る釣り用水汲みバケツ５９はこのように構成されているから、釣場で水を汲む際には、糸巻きに巻回した吊下げ紐３１を所定量繰り出した後、吊下げ紐３１の糸巻き側を保持した状態で水面にバケツ本体１を投げ入れればよく、着水に伴いハンドル１７-1がバケツ本体１の外側に倒れ、この反動でバケツ本体１が倒れてバケツ本体１内に水が汲まれる。
【００２８】
この後、吊下げ紐３１を手繰れば、図２の如くハンドル１７-1が起き上がり、このまま吊下げ紐３１を手繰ってバケツ本体１を引き上げることで水を汲むことができる。そして、吊下げ紐３１が握持部２１の中央に設けた貫通孔４５を挿通しているため、バケツ本体１がバランス良く引き上げられることとなる。
また、吊下げ紐３１の端部が輪となって棒状部材４７を保持しているため、ハンドル１７-1に吊下げ紐３１が絡まった場合には、吊下げ紐３１を引っ張ってこれを収容部５３内に案内した後、再度吊下げ紐３１を引っ張れば絡みを除くことができる。
【００２９】
そして、握持部２１-1を握って水を入れたバケツ本体１を運んで行く際に、棒状部材４７が収容部５３内に収まっているため握持し易い。
更にまた、本実施形態にあっても、ハンドル１７-1の貫通孔４５から上方に棒状部材４７が突出していないため、水中からバケツ本体１を引き上げる際に、棒状部材４７が岩に引っ掛かったり岩と岩の隙間に挟まって引き上げに支障を来すこともないし、棒状部材４７が収容部５３内に収容されてハンドル１７-1の側方へ突出することがないため、同様に棒状部材４７が岩に引っ掛かってしまうことがない。
【００３０】
加えて、本実施形態に於ても、ハンドル１７-1は合成樹脂を金型で形成して上方に起立させた際に形状を維持する硬さを持って形成されているため、バケツ本体１に水を汲んで引き上げるときに足場の岩への引っ掛かりが防止される。
そして、本実施形態ではリベット３５が挿通部３７内に収容されているため、より岩に引っ掛かり難くなる。
【００３１】
このように本実施形態によっても、水中からバケツ本体１を引き上げる際に支障なくバランス良く引き上げることができると共に、汲み上げた水を運ぶ際にハンドル１７-1を握持し易い利点を有する。
尚、ハンドルは側面視略コ字状に形成した図１，図２の実施形態に限定されるものではなく、図３に示す請求項１の一実施形態のハンドル１７-2の如く、全体が湾曲した側面視略Ｃ字状として、更にハンドル１７-2の岩への引っ掛かりを防止し、また、ハンドル１７-2への吊下げ紐３１の絡まりを防止してもよい。
【００３２】
そして、図３の実施形態は、ハンドル１７-2中央の握持部６１に、ハンドル１７-2を上方に起立させた際に上下方向に開口する貫通孔６３を握持部６１の長さ方向の中央に設けて、当該貫通孔６３に吊下げ紐３１を挿通させたもので、吊下げ紐３１の端部にその抜止めが設けられている。
以下、本実施形態に於ても、図１の実施形態と同一のものは同一符号を付してそれらの構造説明は省略する。
【００３３】
抜止めは、金属または合成樹脂製の棒状部材６５で、図示するように当該棒状部材６５は前記棒体４９より大径な円筒状の棒体６７からなり、その外周に、長手方向の中心を挟んで左右２つ宛の環状凸部６９が間隔を置いて形成されている。そして、中央の２つの環状凸部６９間で吊下げ紐３１の一端３１ａを折り返し、再び一端３１ａを吊下げ紐３１にリベット３５で止着して輪を作って棒状部材６５を保持している。
【００３４】
一方、貫通孔６３は、握持部６１の上部に開口する挿通部３７と、当該挿通部３７と連通して握持部６１の底部に開口する収容部７１とからなる。そして、図示するように収容部７１は、前記棒状部材６５の下部が握持部６１の底部側に若干露出する底面視矩形状の凹部からなり、その内側上面７３は棒状部材６５の外形形状に沿って形成されて、前記環状凸部６９が係合する凹部７５が挿通部３７を挟んで設けられている。
【００３５】
そして、上記棒状部材６５は収容部７１から取り出すことは可能であるが、収容部７１内に収容した状態で吊下げ紐３１を引っ張れば、吊下げ紐３１がハンドル１７-2から離脱しないように保持され、これによりバケツ本体１が吊下げ紐３１によって引き上げられることとなる。
本実施形態に係る釣り用水汲みバケツ７７はこのように構成されているから、本実施形態によっても、既述した釣り用水汲みバケツ４３，５９と同様、所期の目的を達成することが可能で、水中からバケツ本体１を引き上げる際に支障なくバケツ本体１をバランス良く引き上げることができ、また、本実施形態は、棒状部材６５の一部を握持部６１の底部側に僅かに露出させて当該握持部６１の一部を構成するようにしたので、持ち運びの際に環状凸部６９が滑止め部材として機能して、確実にハンドル１７-2を握持することができる利点を有する。
【図面の簡単な説明】
【００３６】
【図１】請求項１及び請求項２の第一実施形態に係る釣り用水汲みバケツの断面図である。
【図２】請求項１及び請求項２の第二実施形態に係る釣り用水汲みバケツの断面図である。
【図３】請求項１の一実施形態に係る釣り用水汲みバケツの断面図である。
【符号の説明】
【００３７】
１  バケツ本体
３  側部
５  底部
７  開口部
１５  ハンドル取付部
１７，１７-1，１７-2  ハンドル
１９  透孔
２１，２１-1，６１  握持部
２３  杆部
２９，４５，６３  貫通孔
３１  吊下げ紐
３３  リング部材
３７  挿通部
３９，５３，７１  収容部
４３，５９，７７  釣り用水汲みバケツ
４７，６５  棒状部材
４９，６７  棒体
５１，６９  環状凸部
５５，７３  内側上面
５７，７５  凹部
【図１】
2006025713.tif 000003
【図２】
2006025713.tif 000004
【図３】
2006025713.tif 000005